(57)【要約】【課題】開閉式の入賞口の開閉動作が独創性及び斬新性を有し、且つ入賞口近傍での複数個の遊技球による玉がみを確実に防止できる入賞口装置を備えたパチンコ遊技機を提供する。【解決手段】普通入賞口装置１５は、遊技盤４の盤面４ｃから前方へ進出して普通入賞口１５ａを上方に開口させた進出位置と、この進出位置から盤面４ｃと直交方向へ後退して盤面４ｃから突出しない退避位置とに亙って移動可能な入賞口本体２１と、入賞口本体２１を進出位置と退避位置とに亙って移動駆動する移動駆動機構２２とを備え、入賞口本体２１が進出位置のとき、普通入賞口１５ａが盤面４ｃから前方へ進出してその上方が開口され、入賞口本体２１が退避位置のとき、普通入賞口１５ａが盤面４ｃから突出せずその上方が閉塞される。【選択図】図６
2010068944.tif 000002
【特許請求の範囲】
【請求項１】
遊技盤と、入賞口を有する入賞口装置とを備えたパチンコ遊技機において、
前記入賞口装置は、
遊技盤の盤面から前方へ進出して入賞口を上方に開口させた進出位置と、この進出位置から盤面と直交方向へ後退して盤面から突出しない退避位置とに亙って移動可能な入賞口本体と、
前記入賞口本体を進出位置と退避位置とに亙って移動駆動する移動駆動機構と、
を備えたことを特徴とするパチンコ遊技機。
【請求項２】
前記入賞口本体の上側近傍において盤面と直交方向へ出没自在に設けられた庇部材と、
前記入賞口本体が進出位置のとき盤面から突出しない後退位置となり、入賞口本体が退避位置のとき盤面から突出した突出位置となるように庇部材を移動駆動する庇移動機構とを備えたことを特徴とする請求項１に記載のパチンコ遊技機。
【請求項３】
前記移動駆動機構と庇移動機構は連動連結されて共通の１つのアクチュエータで駆動するように構成されたことを特徴とする請求項１又は２に記載のパチンコ遊技機。
【請求項４】
前記共通の１つのアクチュエータとしてソレノイドアクチュエータを有し、
前記移動駆動機構と庇移動機構がリンク機構により連動連結されたことを特徴とする請求項３に記載のパチンコ遊技機。
【発明の詳細な説明】
【技術分野】
【０００１】
本発明は、入賞口を有する入賞口装置を備えたパチンコ遊技機に関するものである。
【背景技術】
【０００２】
従来から、第１種パチンコ機に分類されるパチンコ遊技機には、遊技領域に複数の普通入賞口、開閉羽根を有する開閉式の図柄始動入賞口や大入賞口などが設けられている。遊技領域へ発射された遊技球は、複数の障害釘や風車に当たって方向を変えながら落下していき、普通入賞口、図柄始動入賞口、大入賞口の何れかに入賞するか、最下端まで落下して球排出口から排出される。普通入賞口、図柄始動入賞口、大入賞口の何れかに遊技球が入賞した場合、各入賞口に応じて予め定められた遊技球が入賞球として払い出される。
【０００３】
他方、従来からパチンコ遊技機として、「羽根モノ」と呼ばれる第２種パチンコ機に分類されるパチンコ遊技機が知られている。このパチンコ遊技機には、遊技領域に普通入賞口、始動入賞口、開閉動作を行う開閉羽根を有する可変入賞球装置や大入賞口などが設けられている。
【０００４】
例えば、特許文献１の遊技機には、遊技領域において、略中央領域に可変入賞口装置が配置され、可変入賞口装置の両側に複数の普通入賞口、可変入賞口装置の下側に上方が開口した複数の始動入賞口と大入賞口が夫々配置されている。
【特許文献１】特開２００６−３４０８５８号公報
【発明の開示】
【発明が解決しようとする課題】
【０００５】
従来のパチンコ遊技機において、普通入賞口は盤面から前方へ突出して上方が開口した状態で遊技盤に固定されているだけなので、遊技者が興味を惹くような工夫が施されていない。また、図柄始動入賞口や可変入賞口装置に設けた既存の開閉羽根による開閉動作では、入賞口装置としての独創性及び斬新性に欠ける。
【０００６】
他方、遊技領域に連続的に発射された遊技球が、障害釘や風車に当たって方向を換えながら普通入賞口の近傍に流動した場合、盤面から前方に突出した普通入賞口の側面とこの側面近傍に設けられた障害釘との間において、複数個の遊技球同士が隣接状に並んで挟まった状態で停滞する玉がみが生じるという問題がある。
【０００７】
本発明の目的は、開閉式の入賞口の開閉動作が独創性及び斬新性を有し、且つ入賞口近傍での複数個の遊技球による玉がみを確実に防止できる入賞口装置を備えたパチンコ遊技機を提供することである。
【課題を解決するための手段】
【０００８】
上記目的を達成するために本発明は以下のような構成を採用した。尚、括弧内の参照符号は、本発明の理解を助けるために図面との対応関係の一例を示したものであり、本発明の範囲を何ら限定するものではない。
請求項１のパチンコ遊技機は、遊技盤(4)と、入賞口(15a)を有する入賞口装置(15,30,30A,30B)とを備えたパチンコ遊技機(1,1A)である。入賞口装置(15,30,30A,30B)は、遊技盤(4)の盤面(4c)から前方へ進出して入賞口(15a)を上方に開口させた進出位置と、この進出位置から盤面(4c)と直交方向へ後退して盤面(4c)から突出しない退避位置とに亙って移動可能な入賞口本体(21)と、入賞口本体(21)を進出位置と退避位置とに亙って移動駆動する移動駆動機構(22)とを備えたことを特徴としている。
【０００９】
このパチンコ遊技機(1,1A)においては、移動駆動機構(22)により、入賞口本体(21)が盤面(4c)の前方へ進出する進出位置と、盤面(4c)と直交方向へ退避して盤面(4c)から突出しない退避位置とに亙って移動駆動され、入賞口本体(21)が進出位置のとき、入賞口(15a)が盤面(4c)から前方へ進出してその上方が開口され、入賞口本体(21)が退避位置のとき、入賞口(15a)が盤面(4c)から突出せずその上方が閉塞される。
【００１０】
請求項２のパチンコ遊技機は、請求項１の発明において、入賞口本体(21)の上側近傍において盤面(4c)と直交方向へ出没自在に設けられた庇部材(32,32a)と、入賞口本体(21)が進出位置のとき盤面(4c)から突出しない後退位置となり、入賞口本体(21)が退避位置のとき盤面(4c)から突出した突出位置となるように庇部材(32,32a)を移動駆動する庇移動機構とを備えたことを特徴としている。
【００１１】
請求項３のパチンコ遊技機は、請求項１又は２の発明において、移動駆動機構と庇移動機構は連動連結されて共通の１つのアクチュエータで駆動するように構成されたことを特徴としている。
請求項４のパチンコ遊技機は、請求項３の発明において、共通の１つのアクチュエータとしてソレノイドアクチュエータ(24,38)を有し、移動駆動機構と庇移動機構がリンク機構(34)により連動連結されたことを特徴としている。
【発明の効果】
【００１２】
請求項１の発明によれば、入賞口装置は、盤面から前方へ進出して入賞口を上方に開口させた進出位置と、この進出位置から盤面から突出しない退避位置とに亙って移動可能な入賞口本体と、入賞口本体を進出位置と退避位置とに亙って移動駆動する移動駆動機構とを備えたので、入賞口装置の独特な入賞口本体の進退動作による入賞口の開閉動作を実現することができ、独創的な入賞口装置による遊技の興趣性を高めることができる。
【００１３】
入賞口本体の進出動作により入賞口が進出位置のとき、遊技領域において入賞口の側面と入賞口の側面近傍に設けられた障害釘との間に流動した複数個の遊技球同士による玉がみが生じた場合、移動駆動機構により入賞口本体の退避動作により、入賞口が盤面から突出しない退避位置に移動するので、入賞口近傍での複数個の遊技球による玉がみを確実に解消することができる。また、入賞口本体の進退動作でもって玉がみ防止を簡単に行うことができる。
【００１４】
請求項２の発明によれば、入賞口本体の上側近傍において盤面と直交方向へ出没自在に設けられた庇部材と、入賞口本体が進出位置のとき盤面から突出しない後退位置となり、入賞口本体が退避位置のとき盤面から突出した突出位置となるように庇部材を移動駆動する庇移動機構とを備えたので、庇部材によりその下側近傍の入賞口本体近傍での玉がみを防止でき、遊技球を遊技領域の誘導領域に沿って速やかに流動させることができる。また、庇部材により入賞口本体近傍の玉がみが防止されるので、入賞口本体の進退動作が遊技球で阻外されることがない。
【００１５】
請求項３の発明によれば、移動駆動機構と庇移動機構は連動連結されて共通の１つのアクチュエータで駆動するように構成されたので、製作費の低減を図ることができる。
【００１６】
請求項４の発明によれば、共通の１つのアクチュエータとしてソレノイドアクチュエータを有し、移動駆動機構と庇移動機構がリンク機構により連動連結されたので、簡単な機構でもって入賞口本体の進退動作に連動して庇部材を進退動作させることができる。
【発明を実施するための最良の形態】
【００１７】
以下、本発明を実施例するための最良の形態について実施例に基づいて説明する。
本実施例は、遊技盤と、入賞口を有する入賞口装置とを備えたパチンコ遊技機に、本発明を適用した場合の一例である。
【実施例１】
【００１８】
本発明の実施例１について図面に基づいて説明する。
図１、図２に示すように、第１種パチンコ機に分類されるパチンコ遊技機１には、パチンコホールの島構造体に取り付けられる外枠に開閉枠２が開閉自在に装着され、開閉枠２ａに開閉扉３が開閉自在に装着されている。開閉枠２には遊技盤４が装着され、その遊技盤４の前面側に遊技領域５が形成されている。開閉扉３には窓部３ａが形成され、その窓部３ａに透明板３ｂが装着され、その透明板３ｂにより遊技領域５の前側が覆われている。
【００１９】
開閉扉３の上部には複数の装飾ランプ（枠ランプ）３ｃが設けられ、窓部３ａの下側には、所謂チャンスボタンと呼ばれる遊技者が操作可能な演出ボタン９と、発射用の遊技球Ｐや入賞球を貯留する貯留皿６と、遊技者が操作する発射ハンドル７が装着されている。発射ハンドル７が回動操作されると、貯留皿６から発射位置に導入された遊技球Ｐが発射される。ここで、貯留皿６に複数の遊技球Ｐが存在する場合には、例えば、複数の遊技球Ｐが約０．６秒間隔で連続的に発射される。発射された遊技球Ｐは、ガイドレール８で案内されて遊技領域５の頂部に投入される。
【００２０】
図２に示すように、鉛直な盤面４ｃを形成する遊技盤４には、多数の障害釘１０、始動入賞口装置１１、ゲート１２、第１大入賞口装置１３、第２大入賞口装置１４、複数の普通入賞口装置１５、画像表示器１６、センタ役物１７が遊技領域５に装着され、遊技領域５外に遊技表示盤１８が装着され、遊技盤４の裏側に制御装置２０（図  参照）が装着されている。遊技盤４は、盤面４ｃを形成する表面板４ａ（化粧板）と、この表面板４ａの裏側に配設されている合板からなる遊技盤本体部４ｂとから構成されている（図５参照）。
【００２１】
遊技領域５の頂部に投入された遊技球Ｐは、遊技領域５の多数の障害釘１０や風車１０ａに当たって方向を変えながら落下して、始動入賞口装置１１の始動入賞口１１ａ，１１ｂ、ゲート１２、第１大入賞口装置１３の第１大入賞口１３ａ、第２大入賞口装置１４の第２大入賞口１４ａ、普通入賞口装置１５の普通入賞口１５ａの何れかに入賞して遊技領域５外へ排出されるか、最下端まで落下してアウト口１９から遊技領域５外へ排出される。
【００２２】
図２，図７に示すように、図始動入賞口装置１１は、センタ役物１７の下側に配置され、電チューと呼ばれる電動で開閉するチューリップ型役物を含む構成であり、ゲート式の上始動入賞口１１ａと、開閉式の下始動入賞口１１ｂ、下始動入賞口１１ｂを開閉する開閉部材１１ｃ、始動入賞口１１ａ，１１ｂに入賞した遊技球Ｐを検出する始動口ＳＷ１１ｄ、開閉部材１１ｃを開閉駆動する電チューソレノイド１１ｅを有する。開閉部材１１ｃは、左右対称形状の２つの短い羽根部材が盤面４ｃと直交する軸回りに回動するように構成され、閉塞位置で下始動入賞口１１ｂへの遊技球Ｐの入賞を不可能にし、開放位置で下始動入賞口１１ｂへの遊技球Ｐの入賞を可能にする。尚、図２の点線で示す開閉部材１１ｃは閉塞位置にある。
【００２３】
ゲート１２はセンタ役物１７の左側に配置され、このゲート１２を通過した遊技球Ｐを検出するゲートＳＷ１２ａが付設されている。ゲート１２を遊技球Ｐが通過することを契機とする抽選により当選した場合に、始動入賞口装置１１が作動して、通常は閉塞の下始動入賞口１１ｂを開閉するように開閉部材１１ｃを開閉動作させる。
【００２４】
第１大入賞口装置１３は、始動入賞口装置１１の下側に配置され、第１大入賞口１３ａ、第１大入賞口１３ａを開閉する開閉部材１３ｂ、第１大入賞口１３ａに入賞した遊技球Ｐを検出する第１大入賞口ＳＷ１３ｃ、開閉部材１３ｂを開閉駆動するソレノイドアクチュエータ１３ｄ（第１大入賞口ソレノイド）を有する。開閉部材１３ｂは、盤面４ｃと平行方向の水平な軸回りに動作するように構成され、閉位置で第１大入賞口１３ａへの遊技球Ｐの入賞を不可能にし、開放位置で第１大入賞口１３ａへの遊技球Ｐの入賞を可能にする。尚、図２の開閉部材１３ｂは閉位置にある。
【００２５】
第２大入賞口装置１４は、センタ役物１７の囲繞する左側仕切り部の中段部に配置され、第２大入賞口１４ａを開閉する開閉部材１４ｂ、第２大入賞口１４ａに入賞した遊技球Ｐを検出する第２大入賞口ＳＷ１４ｃ、開閉部材１４ｂを開閉駆動するソレノイドアクチュエータ１４ｄ（第２大入賞口ソレノイド）を有する。
【００２６】
図２に示すように、第２大入賞口１４ａには、遊技球流入口１４ｅが形成され、遊技球流入口１４ｅに流入した遊技球Ｐは、遊技盤４の裏側に設けられた遊技球払出し通路（図示略）に誘導される。
【００２７】
第２開閉部材１４ｂは、盤面４ｃと直交する軸回りに動作するように構成され、実線で示す開放位置で第２大入賞口１４ａへの遊技球Ｐの入賞を可能にし、点線で示す閉位置で第２大入賞口１４ａへの遊技球Ｐの入賞と不可能にする。
【００２８】
始動入賞口１１ａ，１１ｂへの遊技球Ｐの入賞を契機に行われる抽選により大当りに当選した場合に、大当り遊技が発生し、第１，第２大入賞口１３ａ，１４の少なくとも一方が作動して、通常は閉塞の第１，第２大入賞口１３ａ，１４ａの少なくとも一方が開閉するように第１，第２開閉部材１３ｂ，１４ｂの少なくとも一方を動作させる。
【００２９】
遊技表示盤１８は、遊技領域５の下側の右側領域に前方へ向けて配置され、７セグメント表示器からなる特別図柄表示器１８ａ、○×に表示可能な普通図柄表示器１８ｂ、４つの特別図柄保留ランプ１８ｃ、４つの普通図柄保留ランプ１８ｄを備え、これら表示器１８ａ〜１８ｄは発光ダイオード（ＬＥＤ）を発光源としている。特別図柄表示器１８ａでは、始動入賞口１１ａ，１１ｂへの遊技球Ｐの入賞を契機に行われる抽選の結果が変動表示後に表示され、普通図柄表示器１８ｂでは、ゲート１２を遊技球Ｐが通過することを契機に行われる抽選の結果が変動表示後に表示される。
【００３０】
特別図柄表示器１８ａの変動表示中に、始動入賞口１１ａ，１１ｂに入賞した入賞球の個数であって、特別図柄の変動が未だ実行されていない保留数が最大で４つまで保留され、特別図柄保留ランプ１８ｃには、その特別図柄の保留数が表示される。同様に、普通図柄表示器１８ｂの変動表示中に、ゲート１２を通過した遊技球Ｐの数であって、普通図柄の変動が未だ実行されていない保留数が最大で４つまで保留され、普通図柄保留ランプ１８ｄには、その普通図柄の保留数が表示される。
【００３１】
画像表示器１６は、液晶ディスプレイ（ＬＣＤ）からなり、枠状のセンタ役物１７内の開口に配置されている。この画像表示器１６には、例えば、図２に示すように３つの演出図柄が表示される。この演出図柄は、リーチや大当りに対する遊技者の期待感を喚起するために演出目的で表示されるものである。遊技者は、この演出図柄の停止態様を見て特別図柄表示器１８ａの特別図柄の停止態様が当りか否かを認識することができる。つまり、演出図柄は、特別図柄の変動表示に連動して変動表示され、演出図柄の停止図柄の組み合わせが特定の組み合わせで表示された場合には（例えば、「７７７」）、遊技状態が通常の遊技状態から大当り状態や確率変動大当り状態などの特別利益状態に移行される。
【００３２】
また、画像表示器１６には、単に演出図柄が変動表示されるだけでなく、演出図柄変動表示中に、キャラクタ（例えば、人間や動物など）を用いて演出図柄の変動表示にストーリー性を持たせて遊技者のリーチや大当りへの期待感を高めるためのリーチ演出画像や大当り予告演出画像等の特定演出画像、また、遊技者に演出ボタン９の操作を求めるメッセージなどが表示される。
【００３３】
次に、普通入賞口装置１５について説明する。
図２〜図６に示すように、普通入賞口装置１５は、ゲート１２への遊技球Ｐの通過を契機として作動する電動役物として構成され、複数の普通入賞口装置１５が遊技領域５の左側下部の所定位置に夫々設けられている。各普通入賞口装置１５は、入賞口本体２１と、この入賞口本体２１を摺動自在に案内するガイド筒体２３と、普通入賞口１５ａに入賞した遊技球Ｐを検出する普通入賞口ＳＷ１５ｃと、この入賞口本体２１を移動駆動する移動駆動機構２２とを備えている。
【００３４】
図３〜図６に示すように、入賞口本体２１は、合成樹脂材料製のもので、側面視にて前後方向（遊技盤４の盤面４ｃと直交する方向）に細長い箱状に形成され、その底部は部分円筒状に形成されている。入賞口本体２１の前後長は、ガイド筒体２３の約２倍である。入賞口本体２１は、盤面４ｃから盤面４ｃと直交方向へ前方へ進出して普通入賞口１５ａを上方に開口させた進出位置（図４参照）と、盤面４ｃと直交方向へ後退して盤面４ｃから突出しない退避位置（図３参照）とに亙って移動可能に構成されている。図３に示す退避位置のとき、普通入賞口１５ａへの遊技球Ｐの入賞が不可能であり、図４に示す進出位置のとき普通入賞口１５ａへの遊技球Ｐの入賞が可能である。
【００３５】
図３〜図６に示すように、ガイド筒体２３は、合成樹脂材料製のもので、前端及び後端開放状の筒状に形成されて、遊技盤４に形成された嵌合穴に嵌合されて固定されている。入賞口本体２１は、ガイド筒体２３に前後方向に摺動自在に遊嵌されている。入賞口本体２１が進出位置よりも進出しないように、入賞口本体２１の後端にはガイド筒体２３の後端で係止される後端板２１ｂが固定されている。入賞口本体２１の前部の底面は後方下り傾斜状に形成され、後部の底面には遊技球Ｐが通過可能な通過穴２１ａが形成されている。入賞口本体２１が図４，図６の進出位置のとき、普通入賞口１５ａに入賞した遊技球Ｐが、通過穴２１ａに向かって転動する。
【００３６】
遊技盤４の裏側においてガイド筒体２３の底壁部には通路形成部材２６が固定され、この通路形成部材２６に排出通路２６ａが形成され、排出通路２６ａは排出機構（図示略）に連通している。この排出通路２６ａの上端は開放しており、ガイド筒体２１の底壁部に形成された通過穴２３ａと連通している。通過穴２３ａは遊技球Ｐが通過可能な大きさに形成されている。入賞口本体２１が進出位置のとき通過２１ａ，２３ａとが重なって連通し、普通入賞口１５ａに入賞した遊技球Ｐが、通過穴２１ａと通過穴２３ａを通って排出通路２６ａに流下し、普通入賞口ＳＷ１５ｃで検出後、排出機構に誘導される。
【００３７】
次に、入賞口本体２１を進出位置と退避位置とに亙って移動駆動する移動駆動機構２２について説明する。図５，図６に示すように、移動駆動機構２２は、入賞口本体２１を前後方向に移動駆動可能なソレノイドアクチュエータ２４（普通入賞口ソレノイド）を有する。ソレノイドアクチュエータ２４の出力軸２４ａの先端は、入賞口本体２１の後端部に固着されている。
【００３８】
ソレノイドアクチュエータ２４を通電して駆動すると（励磁状態）、出力軸２４ａがソレノイドアクチュエータ２４から伸長し、この伸長動作に連動して入賞口本体２１が図３，図５の退避位置から図４，図６の進出位置へ移動する。即ち、入賞口本体２１は、ガイド筒体２３で案内されつつ摺動して後端板２１ｂがガイド筒体２３の後端に当接するまで前進し、その前部が盤面４ｃから前方へ突出した進出位置となる。
【００３９】
入賞口本体２１が進出位置のとき、盤面４ｃから前方へ突出する入賞口本体２１の前部には、上方開放状の普通入賞口１５ａが開口し、普通入賞口１５ａに入賞した遊技球Ｐは、通過穴２１ａ，２３ａを通って排出通路２６ａに流下して排出機構に誘導される。
【００４０】
一方、ソレノイドアクチュエータ２４の通電を停止すると（消磁状態）、出力軸２４ａが後方へ退入し、この退入動作に連動して入賞口本体２１が図４，図６の進出位置から図３, 図５の退避位置へ移動する。即ち、入賞口本体２１は、ガイド筒体２３で案内されて摺動して盤面４ｃと直交方向へ後退して盤面４ｃから突出しない退避位置まで後退する。
【００４１】
図７に示すように、制御装置２０は、メイン制御装置４０とサブ制御装置４１とで構成されている。メイン制御装置４０は、メイン制御基板４１ａと、メイン制御基板４１ａに実装されたＣＰＵとＲＯＭとＲＡＭを備えている。サブ制御装置４１は、サブ制御基板として、払出制御基板４２、演出制御基板４３、画像制御基板４４、ランプ制御基板４５とを備えている。これら複数の制御基板４２〜４５には夫々ＣＰＵとＲＯＭとＲＡＭとが実装されている。なお、演出制御基板４３には、ＲＴＣ（リアルタイムクロック）も実装されている。
【００４２】
メイン制御基板４０ａが、ゲートＳＷ１２ａ、始動口ＳＷ１１ｄ、第１大入賞口ＳＷ１３ｃ、第２大入賞口ＳＷ１４ｃ、普通入賞口ＳＷ１５ｃから検出信号を受けて、また、払出制御基板４２から制御情報を受けて、電チューソレノイド１１ｅ、第１大入賞口ソレノイド１３ｄ、第２大入賞口ソレノイド１４ｄ、特別図柄表示器１８ａ、普通図柄表示器１８ｂ、特別図柄保留ランプ１８ｃ、普通図柄保留ランプ１８ｄ、普通入賞口ソレノイド２４を制御する。
【００４３】
払出制御基板４２は、メイン制御基板４０ａから制御情報を受けて、払出駆動モータ４６を駆動制御し、各入賞口１１ａ，１１ｂ，１３ａ，１４ａ，１５ａへの遊技球Ｐの入賞１個について、各入賞口１１ａ，１１ｂ，１３ａ，１４ａ，１５ａ毎に設定された数の入賞球が貯留皿６に払い出される。演出制御基板４３は、メイン制御基板４０ａから制御情報を受けて、また、演出ボタン９から入力信号を受けて、画像制御基板４４とランプ制御基板４５に夫々制御情報を出力する。
【００４４】
画像制御基板４４は、演出制御基板４３から制御情報を受けて、画像表示器１６とスピーカ４７を制御し、ランプ制御基板４５は、演出制御基板４３から制御情報を受けて、主に画像制御基板４４による制御に同期させて、枠ランプ３ｃと盤ランプ４８と可動役物４９を制御する。例えば、スピーカ４７と枠ランプ３ｃは開閉扉３に設けられ、盤ランプ４８と可動役物４９は遊技盤４の所定の箇所に設けられている。
【００４５】
以上説明した実施例１のパチンコ遊技機１の作用効果について説明する。
遊技者が発射ハンドル７を回動操作することで遊技球Ｐが遊技領域５の頂部に連続的に投入され、障害釘１０や風車１０ａに当たって方向を変えながら落下していく。遊技球Ｐがゲート１２を通過したとき、何れか１つの普通入賞口装置１５の移動駆動機構２２が作動して、入賞口本体２１が盤面４ｃから前方へ進出して普通入賞口１５ａを上方に開口させた進出位置と、この進出位置から盤面４ｃと直交方向へ後退して盤面から突出しない退避位置に亙って所定回数移動するので、普通入賞口装置１５の入賞口本体２１の進退動作による普通入賞口１５ａの独特な開閉動作を実現することができる。そのため、普通入賞口装置１５として独創性及び斬新性に優れ、遊技の興趣性を高めることができる。
尚、遊技球Ｐがゲート１２を通過したとき、何れか１つの普通入賞口装置１５ではなく、全部の普通入賞口装置１５を上記のように作動させてもよいし、また、上記のように作動していない何れか１つの入賞口装置１５を上記のように作動させてもよい。
【００４６】
入賞口本体２１が進出位置のとき、遊技領域５におい入賞口本体２１の側面とこの側面近傍に設けられた障害釘１０との間に流動した複数個の遊技球同士による玉がみが生じた場合、入賞口本体２１の退避動作により、玉がみを確実に解消することができる。また、入賞口本体２１の進退動作でもって玉がみ防止を簡単に行うことができる。
【００４７】
前記実施例を部分的に変更する例について説明する。
１〕普通入賞口装置１５の配置位置は、図２に図示の位置に限定されず、遊技盤４の種々の部位に設けることができるし、複数の普通入賞口装置１５を互いに離隔した部位に配置してもよい。普通入賞口装置１５の設置数も３つに限定されず、３つ未満又は４つ以上設けてもよい。入賞口本体２１は金属製のものでもよく、ガイド筒体２３が金属製のものでもよい。
【００４８】
２〕ソレノイドアクチュエータ２４は、通電により出力軸２４ａが退入し、通電停止により出力軸２４ａが伸長する構造でもよい。ソレノイドアクチュエータ２４の代わりに、圧電アクチュエータや電動モータを採用してもよい。
【００４９】
３〕普通入賞口装置１５の入賞口本体２１を進出位置に切換える契機は、遊技球Ｐのゲート通過に限定されるものではない。例えば、乱数抽選によりランダムに進出位置に切換えてもよく、風車１０ａの回転を検出する検出器を設けて、風車１０ａの回転に応じて進出位置に切換えてもよい。
しかも、進出位置に切換える際の態様は、複数回の進退移動に限定されるものではなく、所定時間の間進出位置に保持するとか、隣接する入賞口本体２１を複数回進退移動させると共に一方が進出位置のとき他方を退避位置に切換えたり、その逆に同期して進退移動するようにしてもよい。  
【００５０】
４〕図８に示すように、後端板２１ｂの下端部が通路形成部材２６よりも下方へ突出しないように形成され、入賞口本体２１が退避位置のとき、通過穴２１ｂの下面側を塞ぐ延長板２３ｂがガイド筒２３の底壁に一体形成されている。これにより、入賞口本体２１を進出位置から退避位置に切換える直前に普通入賞口１５ａに入賞した遊技球Ｐが通過穴２３ａへ流れずに、通過穴２１ａから遊技盤４の裏側空間に落下する虞がない。
【００５１】
５〕図９に示すように、後端板２１ｂの下端部が通路形成部材２６Ａよりも下方へ突出しないように形成され、通路形成部材２６Ａが後方へ延長され、その通路形成部材２６Ａの上面壁に遊技球Ｐが通過可能な通過穴２６ｂが形成される。これにより、入賞口本体２１を進出位置から退避位置に切換える直前に普通入賞口１５ａに入賞した遊技球Ｐが通過穴２３ａへ流れずに、通過穴２１ａから通過穴２６ｂを通って排出通路２６ａへ流れるため、通過穴２１ａから遊技盤４の裏側空間に落下する虞がない。
【００５２】
６〕前記実施例では普通入賞口装置１５に本発明を適用したが、その他、ゲート１２や、始動入賞口１１ｂを開閉する始動入賞口装置１１などにも本発明を適用可能である。
７〕前記実施例では、第１種パチンコ機に分類されるパチンコ遊技機１に本発明を適用したが、羽根モノと呼ばれる第２種パチンコ機に分類されるパチンコ遊技機の入賞口装置に本発明を適用してもよい。
【実施例２】
【００５３】
次に、実施例２のパチンコ遊技機１Ａについて図１０〜図１４に基づいて説明する。尚、実施例１と同様の構成部材については同様の符号を付してその説明を省略する。
図１０〜図１４に示すように、普通入賞口装置３０は、ゲート１２への遊技球Ｐの通過を契機として作動する電動役物として構成され、複数の普通入賞口装置３０が遊技盤４の左側下部に設けられている。
【００５４】
各普通入賞口装置３０は、入賞口本体２１と、ガイド筒体２３と、庇部材３２と、入賞口本体２１を移動駆動する移動駆動機構と庇部材３２を移動移動駆動する庇移動機構を統括的に駆動する統括駆動機構３３と、普通入賞口１５ａに入賞した遊技球Ｐを検出する普通入賞口スイッチとを備えている。図１１〜図１４に示すように、入賞口本体２１、ガイド筒体２３、通路形成部材２６は、実施例１と同様であるため、同じ符号を付して説明を省略する。
【００５５】
庇部材３２は側面視にて前後方向に細長い長方形の水平な板状部材であり、入賞口本体２１の上側近傍に設けられ、遊技盤４に形成された摺動穴３６から盤面４ｃと直交方向へ出没自在に移動し、入賞口本体２１が退避位置のとき盤面４ｃから前方へ突出した突出位置（図１１，図１３参照）と、入賞口本体２１が進出位置のとき盤面４ｃから突出しない後退位置（図１２，図１４参照）とに亙って位置切換え自在に構成されている。
【００５６】
図１３，図１４に示すように、統括駆動機構３３は、遊技盤４よりも後方に設けられている。統括駆動機構３３は、入賞口本体２１を移動駆動する移動駆動機構と、庇部材３２を移動駆動する庇移動機構と、移動駆動機構と庇移動機構を連動連結するリンク機構３４と、共通の１つのソレノイドアクチュエータ３８とを有する。
【００５７】
駆動ロッド３７は、前後方向に所定の長さを有する角棒状に形成され、その前端は庇部材３２の後端に固着され、その後端がソレノイドアクチュエータ３８の出力軸３８ａに固着され、ソレノイドアクチュエータ３８により所定ストローク移動可能に構成されている。従動ロッド３９は、前後方向に所定の長さを有する角棒状に形成され、その前端が入賞口本体２１の後端に固着されている。
【００５８】
前記リンク機構３４は、遊技盤４に固定されている支持部材５３に左右方向向きの水平な枢支軸５２により回動自在に枢支されたリンク部材５１を備えている。
リンク部材５１の両端部にはリンク部材５１の長さ方向に長い長穴５１ｂ，５１ｃが形成され、長穴５１ｂ，５１ｃには作動ピン５４，５５の先端部分が夫々係合されている。リンク部材５１よりも左方へ突出した作動ピン５４，５５の基端部は駆動ロッド３７と従動ロッド３９に夫々固着されており、駆動ロッド３７と従動ロッド３９は、作動ピン３７，３９とリンク部材５１とを介して連結されている。
【００５９】
前記のように、リンク部材５１に形成した長穴５１ｂ，５１ｃに作動ピン５４，５５を係合させることにより、リンク部材５１と駆動ロッド３７と従動ロッド３９を連動連結しているため、ソレノイドアクチュエータ３８により駆動ロッド３７を前後方向に進退移動させることにより、図１３の状態と図１４の状態とに亙って駆動することができる。
【００６０】
図１２に示すようにソレノイドアクチュエータ３８を通電して駆動すると（励磁状態）、ソレノイドアクチュエータ３８から伸長した出力軸３８ａが退入し、この退入動作に連動して駆動ロッド３７が所定ストローク後退作動して、庇部材３２が盤面４ｃから突出した図１１，図１３に示す突出位置から盤面４ｃと直交方向へ後退して盤面４ｃから突出しない図１２，図１４に示す後退位置となる。
【００６１】
上記の駆動ロッド３７の動作は、リンク部材５１を介して従動ロッド３９に伝達され、  庇部材３２が進出位置から後退位置に切換わるのと並行して、入賞口本体２１が退避位置（図１１，図１３参照）から進出位置（図１２，図１４参照）に切換わる。
入賞口本体３１が進出位置になると、入賞口本体３１の前部が盤面４ｃから前方へ突出して、盤面４ｃより前方へ突出した普通入賞口３０ａが形成される。普通入賞口３０ａに入賞した遊技球Ｐは、通過穴２１ａと通過穴２３ａを介して遊技球排出通路２６ａに流れ、普通入賞口スイッチで検出後、排出機構に誘導される。
【００６２】
尚、このパチンコ遊技機１Ａの制御系は、実施例１の図７に示す制御系と同様であるが、普通入賞口ソレノイド２４の代わりに普通入賞口ソレノイド３８が接続され、普通入賞口ＳＷ１５ｃの代わりに普通入賞口スイッチが接続される。
【００６３】
以上説明した実施例２のパチンコ遊技機１Ａの作用効果について説明する。
入賞口本体２１が、進出位置と退避位置とに亙って位置切換えされることによる作用、効果については、実施例１と同様である（段落［００４５］、［００４６］参照）。
庇部材３２を進出位置と退避位置とに亙って位置切換え自在に設け、入賞口本体２１が進出位置のとき、庇部材３２が退避位置に切換わるため、入賞口本体２１の普通入賞口１５ａの上方は開放状態になるから、普通入賞口装置３０が正常に機能する。
【００６４】
庇部材３２が進出位置のとき、退避位置になった入賞口本体２１の前面の上方を覆うように構成してあるため、遊技盤４の盤面４ｃのうちの入賞口本体２１の前面付近に球がみが生じたりして入賞口本体２１の進退移動の障害となることもない。庇部材３２が進出位置にあるとき、庇部材３２の上面に衝突する遊技球Ｐが上方又は側方へ誘導され、アウト口１９に排出されるまでの時間が長くなるから、遊技性が向上する。庇部材３２が進出位置と退避位置とに切換わるため、斬新性に優れる。
【００６５】
移動駆動機構と庇移動機構はリンク機構３４により連動連結されて共通の１つのソレノイドアクチュエータ３８で駆動されるため、簡単な機構でもって入賞口本体３１の進退動作に連動して庇部材３２を進退動作させることができる。
【００６６】
次に、前記実施例２を部分的に変更した変更例について説明する。
１〕実施例２では、ソレノイドアクチュエータ３８の出力軸３８ａを駆動ロッド３７に固着したが、図１５に示す普通入賞口装置３０Ａのように、ソレノイドアクチュエータ３８を従動ロッド３９に固着した構成にしてもよい。
【００６７】
２〕図１６に示す普通入賞口装置３０Ｂにおいて、入賞口本体２１を進退移動させる移動駆動機構を駆動するソレノイドアクチュエータ６０を設ける共に、庇部材３２ａを進退移動させる庇移動機構を駆動するソレノイドアクチュエータ６１であって、ソレノイドアクチュエータ６０とは別体のソレノイドアクチュエータ６１を設けてもよい。
この場合、ソレノイドアクチュエータ６０の出力軸６０ａの先端が入賞口本体３１の後端部に直接固着され、ソレノイドアクチュエータ６１の出力軸６１ａの先端が庇部材３２ａの後端部に直接固着されるので、リンク機構を設ける必要がない。
【００６８】
３〕リンク機構３４は、実施例２のものに限定されるものではなく、その他、移動駆動機構と庇移動機構を連動連結する構成のものであればよい。
４〕実施例１の変更例１〕〜７〕は、実施例２にも適用可能である。
【００６９】
５〕その他、当業者であれば、本発明の趣旨を逸脱することなく、前記実施例１，２に種々の変更を付加した形態が実施可能であり、本発明はそのような変更形態を包含するものである。
【図面の簡単な説明】
【００７０】
【図１】本発明の実施例１のパチンコ遊技機の正面図である。
【図２】遊技盤の正面図である。
【図３】遊技盤要部と入賞口本体（退避位置）の斜視図である。
【図４】遊技盤要部と入賞口本体（進出位置）の斜視図である。
【図５】普通入賞口装置（退避位置）の縦断面図である。
【図６】普通入賞口装置（進出位置）の縦断面図である。
【図７】パチンコ遊技機の制御系ブロック図である。
【図８】変更例の図５相当図である。
【図９】別の変更例の図５相当図である。
【図１０】実施例２のパチンコ遊技機の遊技盤の正面図である。
【図１１】遊技盤要部と入賞口本体（退避位置）と庇部材（進出位置）の斜視図である。
【図１２】遊技盤要部と入賞口本体（進出位置）と庇部材（退避位置）の斜視図である。
【図１３】普通入賞口装置（入賞口本体が退避位置）の縦断面図である。
【図１４】普通入賞口装置（入賞口本体が進出位置）の縦断面図である。
【図１５】実施例２の変更例の図１４相当図。
【図１６】別の変更例の普通入賞口装置（入賞口本体が退避位置）の縦断面図である。
【符号の説明】
【００７１】
１，１Ａ              パチンコ遊技機
４                    遊技盤
４ｃ                  盤面
１５，３０，３０Ａ，３０Ｂ    普通入賞口装置
１５ａ                普通入賞口
２１                  入賞口本体
２２                  移動駆動機構
３２，３２ａ          庇部材
３３                  統括駆動機構（移動駆動機構、庇移動機構）
３４                  リンク機構
２４，３８            ソレノイドアクチュエータ
【図１】
2010068944.tif 000003
【図２】
2010068944.tif 000004
【図３】
2010068944.tif 000005
【図４】
2010068944.tif 000006
【図５】
2010068944.tif 000007
【図６】
2010068944.tif 000008
【図７】
2010068944.tif 000009
【図８】
2010068944.tif 000010
【図９】
2010068944.tif 000011
【図１０】
2010068944.tif 000012
【図１１】
2010068944.tif 000013
【図１２】
2010068944.tif 000014
【図１３】
2010068944.tif 000015
【図１４】
2010068944.tif 000016
【図１５】
2010068944.tif 000017
【図１６】
2010068944.tif 000018